(57)【要約】【課題】人の手・体等を拭くために使用しても皮膚の荒れを生じさせることなく、長期間保存可能な衛生・消毒・防臭・抗菌・抗ウィルスの各特性に優れたウェットティッシュ又はウェットタオルを提供する。【解決手段】ウェットティッシュ１０は、水分（液体）を含んだ不織布より成る難水溶性のティッシュペーパー１０Ｓを、その母材として有する。複数の（多数の）白金ナノ粒子１は、ティッシュペーパー１０Ｓ内に混在して含有されている。これらの白金ナノ粒子１の各々は、その粒径がナノサイズの白金の粒子（貴金属の粒子）である。一枚一枚のウェットティッシュ１０は、所定のパッケージ（例えばプラスチック製の収納容器又はプラスチックフィルム等の収納袋。）内に密閉されて収納される。ウェットティッシュ１０をウェットタオルに応用することも可能である。【選択図】図１
2017086448.tif 000002
【特許請求の範囲】
【請求項１】
粒径がナノサイズの白金の粒子である、複数の白金ナノ粒子を含む
ことを特徴とする、ウェットティッシュ。
【請求項２】
粒径がナノサイズの白金の粒子である、複数の白金ナノ粒子を含む
ことを特徴とする、ウェットタオル。
【発明の詳細な説明】
【技術分野】
【０００１】
本発明は、ウェットティッシュ又はウェットタオルに関する。
【背景技術】
【０００２】
現在、手拭用・乳幼児のお尻拭き用或いは便座拭き用等の種々の用途向けに、ウェットティッシュが広く普及しており、この種のウェットティッシュとしては様々なものが提案されている（例えば、特許文献１又は特許文献２を参照。）。
【０００３】
一般的には、消毒・殺菌作用があるエタノール等のアルコールが不織布に含浸されて成るウェットティッシュが、普及している。
【先行技術文献】
【特許文献】
【０００４】
【特許文献１】特開２０１２−８５７６０号公報
【特許文献２】特開２０１２−６７１８０号公報  ０００２段落
【特許文献３】特開２０１３−２４０５９１号公報
【特許文献４】特開２０１４−０３４５３８号公報
【特許文献５】特開２０１４−０４５９２５号公報
【特許文献６】特開２０１４−０８３０６６号公報
【発明の概要】
【発明が解決しようとする課題】
【０００５】
しかしながら、アルコールを含有したウェットティッシュを手等の肌拭きのために使用する場合には、肌がアルコールに弱い人にとっては、当該ウェットティッシュによる手拭等の作業によって、皮膚の肌荒れが生じやすいという問題点がある。又、優れた抗菌性能及び抗ウィルス性能をも備えたウェットティッシュの実現が待たれるところである。
【０００６】
この様な問題点は、ウェットティッシュに限らず、お手拭等として使用される、湿ったタオルであるウェットタオルについても、同様に生じ得る問題点である。
【０００７】
（発明の目的）
この発明は斯かる問題点に鑑みて成されたものであり、その主目的は、長期に亘って人の身体を拭くために使用しても皮膚の肌荒れを生じさせることなく、且つ、長期間保存可能な衛生・消毒・防臭・抗菌・抗ウィルスの各特性に優れたウェットティッシュ又はウェットタオルを提供することにある。
【課題を解決するための手段】
【０００８】
本発明の主題に係るウェットティッシュは、各々の粒径がナノサイズの複数の白金ナノ粒子を含むことを特徴とする。
【０００９】
又、本発明の他の主題に係るウェットタオルは、各々の粒径がナノサイズの複数の白金ナノ粒子を含むことを特徴とする。
【発明の効果】
【００１０】
本発明の主題に係るウェットティッシュによれば、当該ウェットティッシュで人の身体の一部を拭うことで、人の皮膚に対して肌荒れを生じさせることなく、汚れをふき取る衛生効果、不快な臭いを取り除く防臭効果、大腸菌等の有害な菌に対する抗菌・消毒効果、及び、ノロウィルス等のウィルスに対する抗ウィルス効果を発揮することが出来る。しかも、ウェットティッシュ自体に含まれている白金ナノ粒子は自然に蒸発してしまうものではないため、上記の抗菌・消毒効果等の諸効果を長期間に亘って保つことが出来る、長期間保存可能（既知の包装袋の適宜選択により少なくとも約５年間は可能。）なウェットティッシュを実現することが出来る。
【００１１】
本発明の他の主題に係るウェットタオルに関しても、上記のウェットティッシュが奏する諸効果と同等の効果が得られる。
【００１２】
以下、本発明の様々な具体化を、添付図面を基に、その効果・利点と共に、詳述する。
【図面の簡単な説明】
【００１３】
【図１】本発明の実施の形態１に係るウェットティッシュの構成を模式的に示す斜視図である。
【図２】被験物質接触部位の皮膚の刺激症状の有無を確認する際の基準を示す図である。
【図３】被験物質接触部位及び対照部位の皮膚症状を肉眼的に観察・評価した結果を示す図である。
【図４】白金ナノ粒子を含むウェットティッシュの抗菌試験効果を示す図である。
【図５】白金ナノ粒子水溶液のネコカリシウィルス（ノロウィルス代替）に対する不活性化効果の検討の試験結果を示す図である。
【図６】実施の形態１に係るウェットティッシュの製造工程を示すフローチャートである。
【発明を実施するための形態】
【００１４】
（実施の形態１）  ：ウェットティッシュ
＜ウェットティッシュの構成＞
【００１５】
図１は、本実施の形態に係るウェットティッシュ１０の構成を模式的に示す斜視図である。一枚のウェットティッシュ１０は、本来的には、所定の収納具ないしは所定のパッケージ（例えば、プラスチック製の収納容器、又は、プラスチックフィルム或いはアルミニウム等の収納袋。）（図示せず。）内に密閉されて収納されている。しかしながら、図１に於いては、図示の便宜上、ウェットティッシュ１０は、上記所定の収納具ないしは所定のパッケージ内に、密閉状態で収納されていない状態で、描かれている。
【００１６】
図１に示される様に、ウェットティッシュ１０は、例えば、水分（液体）を含んだ不織布（例えばレーヨン・ポリエステルより成る。）より成る難水溶性のティッシュペーパー１０Ｓを、その母材として有しており、当該ティッシュペーパー１０Ｓ内に混在して含有された複数の（多数の）白金ナノ粒子１を有している。これらの白金ナノ粒子１の各々は、その粒径がナノサイズの白金の粒子（貴金属の粒子）であり、図示の便宜上、黒丸で表示されている。換言すれば、その粒径がナノサイズの多数の白金ナノ粒子１が、ティッシュペーパー１０Ｓ内に存在している。斯かる白金ナノ粒子１の存在が、以下に述べる抗菌作用の様な有益な諸特性をもたらす。
【００１７】
尚、ウェットティッシュ１０は、「白金ナノ粒子水溶液」を用いて、後述する製造方法により製造される。
【００１８】
ここで、「白金ナノ粒子水溶液」は、複数の（多数の）白金ナノ粒子１が水（精製水又は純粋等。）中に溶け込んで成る水溶液であり、その構成の詳細及びそれがもたらす抗菌性・消臭性・抗ウィルス性等の諸効果の詳細は、本願発明者の発明に係る特許文献３ないし６の各文献に記載されている。白金ナノ粒子水溶液の原液の定義も、これらの特許文献３ないし６に於いて、明記されている通りである。そこで、本願に於いて、本願発明者は、特許文献３ないし６の各文献の記載を、本願発明の記載の一部として援用する。
【００１９】
＜ウェットティッシュの諸特性＞
Ａ．  白金ナノ粒子１のヒト皮膚貼付試験
【００２０】
本願発明者は、複数の白金ナノ粒子１を含むウェットティッシュ１０で人の手・腕等の身体の一部分を拭いても、人の皮膚に対して何らの影響を及ぼさないことを実証・確認すべく、「白金ナノ粒子の固定化のクローズドバッチによるヒト皮膚貼付試験」を、生活科学研究所（大阪市西区西本町２丁目５番１９号）（試験実施及び観察者は医学博士号を有する医師である。）を通じて、行った。当該試験の詳細は次の通りである。
【００２１】
試験方法：
健康な人２０名（男性５名、女性１５名）を被験者として、被験物質（０．００５０ｇ／Ｌの白金を含有する白金ナノ粒子水溶液の原液（０．１ｍＬ）を、パッチテスト用絆創膏（リバテープ製薬株式会社製）の円形布地部に塗布した上で、当該パッチテスト用絆創膏円形布地部を各被験者の上腕部内側に接触させた。尚、上記白金ナノ粒子水溶液の原液の塗布に於いては、当該原液に対する濃度１００％、濃度１０％及び濃度１％の３種類のサンプルが準備された。
【００２２】
又、対照として、上記被験物質が塗布されていない上記パッチテスト用絆創膏円形布地部（ブランク）のみを、上記被験物質に並列して同皮膚面に接触させた。
【００２３】
そして、接触４８時間経過後及び接触７２時間経過後の各時点に於いて、被験物質接触部位及び対照部位の皮膚症状を肉眼的に観察・評価すると共に、写真撮影をも行った。
【００２４】
評価方法：
被験物質接触部位の皮膚所見については、図２に記載する日本パッチテスト研究会の基準（本邦基準）により、刺激症状（紅斑、浮睡、水疱）の有無を確認した。
【００２５】
試験結果：閉塞貼付試験結果
被験物質接触部位及び対照部位の皮膚症状を肉眼的に観察・評価した結果を、図３に示す。尚、写真撮影の記載については、割愛するが、濃度１００％、濃度１０％及び濃度１％の３種類のサンプルの何れに関しても、人の皮膚反応に於ける変化は見られなかった。
【００２６】
図３の評価結果の表に示される通り、絆創膏の除去後に於いて、被験者２０名全員に一次刺激性は全く認められなかった。
【００２７】
結語：
以上より、上記被験物質は、無刺激性（陰性）と判定される。換言すれば、白金ナノ粒子水溶液又はその原液を不織布のティッシュペーパーに塗布することで、複数の白金ナノ粒子が含有されることとなった当該ティッシュペーパーを用いて人の皮膚を拭っても、２日又は３日間という長期に亘って、当該人の皮膚に対して何らの反応（例：皮膚荒れ）も生じないことが、実証・判明されたのである。
【００２８】
Ｂ．  白金ナノ粒子１を含むウェットティッシュ１０の抗菌試験
【００２９】
本願発明者は、複数の白金ナノ粒子１を含むウェットティッシュ１０の抗菌効果を実証・確認するため、黄色ぶどう球菌及び大腸菌に対する２種の抗菌試験を実施した。被試験品は、図１に示されるウェットティッシュ１０である。試験実施機関は、一般財団法人  カケンテストセンター  大阪事業所  生物テストラボ（大阪市西区江戸堀２丁目５番１９号）（旧  財団法人  日本化学繊維検査協会）である。
【００３０】
試験方法：
ＪＩＳ  Ｌ  １９０２（２００８）、菌液吸収法が準用され、供試菌は、１）黄色ぶどう球菌・Ｓｔａｐｈｙｌｏｃｏｃｃｕｓ  ａｕｒｅｕｓ  ＡＴＣＣ  ６５３８Ｐ、及び、２）大腸菌・Ｅｓｃｈｅｒｉｃｈｉａ  ｃｏｌｉ  ＮＢＲＣ  ３３０１である。
【００３１】
試験結果：
黄色ぶどう球菌及び大腸菌に対する試験結果を、それぞれ、図４（ａ）及び図４（ｂ）に示す。
【００３２】
図４（ａ）に示される通り、ウェットティッシュ１０を黄色ぶどう球菌の菌液に接触させた直後に於ける生菌数の常用対数値は４．０であったのが、接触後より１８時間経過した時点における生菌数の常用対数値は１．３未満の値となっており、対照としての綿標準白布の場合と比較しても、ウェットティッシュ１０中に生存している黄色ぶどう球菌の数が格段に減少していることが理解される。この場合の静菌活性値は４．５より大であり、殺菌活性値は３．１より大であることが検測されている。この様に、ウェットティッシュ１０は、黄色ぶどう球菌という有害な菌に対する格段の殺菌能力を備えたウェットティッシュであると、言える。
【００３３】
又、図４（ｂ）に示される通り、ウェットティッシュ１０を大腸菌の菌液に接触させた直後に於ける生菌数の常用対数値は４．３であったのが、接触後より１８時間経過した時点における生菌数の常用対数値は１．３未満の値となっており、対照としての綿標準白布の場合と比較しても、ウェットティッシュ１０中に生存している大腸菌の数が格段に減少していることが理解される。この場合の静菌活性値は６．０より大であり、殺菌活性値は３．１より大であることが検測されている。この様に、ウェットティッシュ１０はまた、大腸菌という有害な菌に対しても格段の殺菌能力を備えたウェットティッシュであると、言える。
【００３４】
以上の試験結果より、図１のウェットティッシュ１０は、そこに水分と共に含まれる白金ナノ粒子の殺菌作用に応じて、長期間に亘って高抗菌作用を呈するウェットティッシュであることが、確認された。
【００３５】
ウェットティッシュ１０は、大腸菌等に対する高い抗菌性能を奏することからして、長期間に亘って、消毒性能及び汚れを落とす衛生性能をも奏し得ることは当然に認識されるところである。
【００３６】
又、既述した特許文献４（特開２０１４−０３４５３８号公報）の表８及び表１１に記載されている様に、原液を８００倍及び１５００倍に希釈して成る白金ナノ粒子水溶液は、アンモニア、酢酸及びイソ吉草酸という典型的な異臭の成分に対しても極めて高い消臭性能を呈する。従って、これらの希釈された白金ナノ粒子水溶液を含蓄して成る図１のウェットティッシュ１０は、長期間に亘って高い消臭性能を有することも当然に認識されるところである。
【００３７】
Ｃ．  白金ナノ粒子１の抗ウィルス試験
次に、本願発明者は、白金ナノ粒子水溶液（ここでは、白金ナノ粒子水溶液の原液を１０倍希釈化した水溶液である。）によるネコカリシウィルス（ノロウィルス代替）の不活性化効果を評価する試験（作用時間は０分及び１０分である。）を実施した。試験機関は、財団法人  北里環境科学センターの微生物部ウィルス課である。
【００３８】
試験方法：
１）供試ウィルスの培養方法
ネコカリシウィルスは、ネコ腎臓由来細胞（以下「ＣＲＦＫ」という。）に感染させ、９０％以上の細胞が細胞変性効果（以下「ＣＰＥ」という。）を示したときに、−８０℃の冷凍庫に凍結保存した。その後、凍結融解操作を２回繰り返した後、３，５００ｒｐｍで１０分間遠心した上澄みを、試験用ウィルスとして、使用時まで−８０℃に保存した。
【００３９】
２）試験手順
試験管内に、９００μＬの試験品（上記白金ナノ粒子水溶液に該当。）と試験ウィルス液１００μＬとをそれぞれ加え、ボルテックスでよく混合して、室温で所定の時間反応させた。所定時間作用後、直ちに、この混合液１００μＬをリン酸緩衝生理食塩液（以下「ＰＢＳ」という。）１０ｍＬに添加し、１００倍に希釈して上記試験品の作用を停止させた。この液をウィルス感染価測定用試料原液としてウィルス感染価を測定した。尚、作用時間０分の試料には、試験品溶液の代わりに、ＰＢＳを用いた。
【００４０】
３）ウィルス感染価
ネコカリシウィルスの感染価測定用試料原液をＰＢＳで１０倍段階希釈した後、測定用試料原液又は希釈ウィルス液５０μＬと５％ウシ胎児血清を含むＤｕｌｂｅｃｃｏ‘ｓ  ｍｏｄｉｆｉｅｄ  Ｅａｇｌｅ’ｓ  Ｍｅｄｉｕｍ（ＤＭＥＭ）に懸濁したＣＲＦＫ細胞５０μＬを、９６穴マイクロプレートに植え込んだ。その後、３７℃の炭酸ガスふ卵器内で４日間培養を行った。培養後、倒立顕微鏡下でウィルスの増殖によるＣＰＥを観察してＲｅｅｄ−Ｍｕｅｎｃｈ法を用いてウィルス感染価（ＴＣＩＤ５０／ｍＬ）を求めた。
【００４１】
試験結果：
白金ナノ粒子水溶液（１０倍希釈液）のネコカリシウィルス（ノロウィルス代替）に対する不活性化効果の検討の試験結果を、図５に示す。
【００４２】
図５に示す通り、０分（初期）のウィルスをＰＢＳ（陰性対照）に１０分間作用させた場合に於けるウィルス感染価は殆ど変動していない一方、白金ナノ粒子水溶液についてのウィルス感染価は上記ＰＢＳのそれよりも４．０ｌｏｇ１０（４桁）の減少を呈している。この結果より、作用時間１０分間で、ノロウィルスを不活性化（撃退化）させるために必要な遊離した白金イオン濃度が十分に得られることが推測されるのであって、希釈化された白金ナノ粒子水溶液及び当該水溶液を含む図１のウェットティッシュ１０は、ノロウィルスに対する高抗ウィルス特性を奏することが確認されたのである。
【００４３】
（実施の形態２）  ：ウェットティッシュの製造方法
【００４４】
図６は、図１のウェットティッシュ１０の製造方法を示す工程図である。
【００４５】
工程Ｓ１：
先ず、ロール状に巻かれた、不織布より成るウェットティッシュ原紙を、折り機（図示せず。）にセットし、当該折り機を用いて、ウェットティッシュ原紙に対して折り加工を施した上で、ウェットティッシュ原紙を一枚毎に切断する。
【００４６】
工程Ｓ２：
次に、予め用意されていた、所定の倍数（例えば１５００倍）で希釈化された白金ナノ粒子水溶液の液体を、一枚一枚のウェットティッシュのシートに含浸させて、ウェットティッシュのシートをウェット状態にさせる。この状態で、図１に示されたウェットティッシュ１０が生成される。
【００４７】
この工程では、白金ナノ粒子水溶液の液剤以外に、その他の液剤を、例えば、コラーゲンの様な「うるおい成分」の薬液を、追補的に各ウェットティッシュのシートに含浸させても良い。
【００４８】
工程Ｓ３：
その後、図１のウェットティッシュ１０を、水分が蒸発せずに長期間保存可能とするために、密閉状態でパッキング加工を行う。このパッキング工程により、複数枚のウェットティッシュ１０は、密閉状態で、取り出し口を有する収納容器（ケース）（図示せず。）内に、或いは、取り出し口を有するフィルム製の包み（パック）（図示せず。）内に、収納される。
【００４９】
以上の各工程を経て、長期間（例えば約５年間。）保存可能な、人の手・体等を拭くために使用しても皮膚の荒れを生じさせることなく、衛生・消毒・防臭・抗菌・抗ウィルスの各特性に優れた「ウェットティッシュ」が、生成される。
【００５０】
（変形例）
実施の形態１及び２で既述したウェットティッシュを、人の手・顔・体を拭うためのタオル状に当該ウェットティッシュを大型化したものに相当する「ウェットタオル」に応用することも出来る。例えば、ウェットタオルは、疾病のために入浴が制限される被介護者の身体を入浴代わりに拭うためのタオルとして利用されるし、一般的に戸外で身体を拭うためのタオルとしても広く利用可能なものである。
【００５１】
斯かるウェットタオルも、その基本的な構成は実施の形態１（図１）に係るウェットティッシュ１０の構成と同等であるため、ウェットティッシュ１０に関して実施の形態１で既述した有益な諸効果を奏することは自明である。そこで、本変形例では、図１及び実施の形態１に於ける対応する各記載が援用される。
【００５２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【００５３】
尚、本発明に言う「ウェットティッシュ」は、実施の形態１（図１）に示されたシート状のティッシュペーパー１０Ｓを母材とする「ウェットティッシュ１０」に該当する場合のみならず、一枚以上のウェットティッシュ１０を密閉状態にて収納して成る「所定のパッケージ」（例えば、プラスチック製の収納容器、又は、プラスチックフィルム或いはアルミニウム等の収納袋。）をも指す用語として、定義される。この点の定義付けは、本発明に於ける「ウェットタオル」に対しても成立する。
【産業上の利用可能性】
【００５４】
本発明は、例えば、日常生活・乳幼児（お尻拭き等）・災害時の滞留生活・災害避難時のための備品（使用期限は少なくとも５年程度。）・自衛隊駐屯地・パンデミックの国内侵入水際対策・娯楽施設・強迫性障害用等、種々の分野に於ける衛生・消毒・防臭（消臭）・抗菌・抗ウィルス（ウィルス不活性化）用のウェットティッシュ又はウェットタオルに適用して好適である。
【符号の説明】
【００５５】
１０  ウェットティッシュ
１０Ｓ  難水溶性ティッシュペーパー
１  白金ナノ粒子
【図１】
2017086448.tif 000003
【図２】
2017086448.tif 000004
【図３】
2017086448.tif 000005
【図４】
2017086448.tif 000006
【図５】
2017086448.tif 000007
【図６】
2017086448.tif 000008